(57)【特許請求の範囲】
【請求項１】
体に密着する衣類であって、
帯状の緊締部を有し、
前記緊締部は、帯状の長手方向において切り替わる、緊締力の相対的に強い部分である強い緊締部と緊締力の相対的に弱い部分である弱い緊締部からなり、
前記緊締部においては、緊締力を強めるための糸が、前記強い緊締部と前記弱い緊締部に渡って連続的に地組織に編み込まれており、
緊締力を強めるための前記糸の編組織は、前記強い緊締部ではルーピング組織を前記弱い緊締部よりも多く含み、前記弱い緊締部では挿入組織を前記強い緊締部よりも多く含むものである衣類。
【請求項２】
体に密着する衣類であって、
帯状の緊締部を有し、
前記緊締部及び前記緊締部に隣接する少なくとも一部の生地本体部は、共通の地組織で構成され、
前記緊締部は、帯状の長手方向において切り替わる、緊締力の相対的に強い部分である強い緊締部と緊締力の相対的に弱い部分である弱い緊締部からなり、
前記緊締部においては、緊締力を強めるための糸が、前記強い緊締部と前記弱い緊締部に渡って連続的に前記地組織に編み込まれており、
緊締力を強めるための前記糸の編組織は、前記強い緊締部ではルーピング組織を前記弱い緊締部よりも多く含み、前記弱い緊締部では挿入組織を前記強い緊締部よりも多く含むものである衣類。
【請求項３】
体に密着する衣類であって、
帯状の緊締部を有し、
生地本体部は、緊締力の異なる地組織からそれぞれ形成される複数の編地部分から構成されていて、前記複数の編地部分の境界線と前記帯状の緊締部とは交差しており、
前記緊締部は、帯状の長手方向において切り替わる、緊締力の相対的に強い部分である強い緊締部と緊締力の相対的に弱い部分である弱い緊締部からなり、
前記緊締部においては、緊締力を強めるための糸が、前記強い緊締部と前記弱い緊締部に渡って連続的に前記地組織に編み込まれており、
緊締力を強めるための前記糸の編組織は、前記強い緊締部ではルーピング組織を前記弱い緊締部よりも多く含み、前記弱い緊締部では挿入組織を前記強い緊締部よりも多く含み、前記複数の編地部分のうちの相対的に緊締力の強い編地部分と前記強い緊締部との少なくとも一部が重なっているものである衣類。
【請求項４】
前記強い緊締部は、前記弱い緊締部の長手方向と傾斜する部分を有するものである請求項１ないし３のいずれか１項に記載の衣類。
【発明の詳細な説明】
【技術分野】
【０００１】
本発明は、衣類、特に体に密着して着用する衣類に関するものである。
【背景技術】
【０００２】
従来から、ガードル、ボディスーツ、ブラジャー、水着、ショーツなどの体に密着して着用する衣類の所定箇所に緊締部を形成し、その緊締力によって、着用者の体型の補整や姿勢の矯正を行ったり、運動機能を向上させることなどがなされてきた。このような緊締部を衣類に形成するためには、緊締力を強くしたい部分に当て布を貼り付けることや編み込まれる弾性糸の太さを太くすること等が採用されてきた。しかし、当て布を貼り付けた場合、緊締部では当て布の厚さ分だけ生地の厚さが増すことになり好ましくない。また、編み込まれる弾性糸の太さを大きくすることで緊締部を形成する場合、緊締力の相違する部分の境界は、弾性糸の編み込まれる方向のみとなり、所望形状の緊締部を得ることができなかった。
【０００３】
そのため、特許文献１に記載のものでは、生地の編組織として、緊締力を強くしたい部分をサテン調組織とし、他の部分をメッシュ調組織として、当て布を用いることなく、所望形状の緊締部を得るようにしている。
【特許文献１】特許第３４６１３１６号公報
【発明の開示】
【発明が解決しようとする課題】
【０００４】
しかし、特許文献１の技術においては、得られる緊締力の大小の差は、編組織の種類の相違に基づくものであることから、当て布を使用した場合の、当て布のある箇所と無い箇所のような緊締力の大きな差を得ることはできない。また、それぞれの編地の編組織による緊締力の差を確保するためには、編組織の採用の自由度が低下することになる。本発明は、上記問題を解決するためになされたものであり、当て布を用いることなく、所望形状の緊締部を得ることができ、強い緊締力を得たい部分と他の部分との緊締力の十分な差を得ることができ、また、編地の基礎となる地組織の採用に当たっても制限の少ない衣類を提供することを目的とする。
【課題を解決するための手段】
【０００５】
このような目的を達成するために、本発明の衣類は、体に密着する衣類であって、帯状の緊締部を有し、緊締部は、帯状の長手方向において切り替わる、緊締力の相対的に強い部分である強い緊締部と緊締力の相対的に弱い部分である弱い緊締部からなり、緊締部においては、緊締力を強めるための糸が、強い緊締部と弱い緊締部に渡って連続的に地組織に編み込まれており、緊締力を強めるための糸の編組織は、強い緊締部ではルーピング組織を弱い緊締部よりも多く含み、弱い緊締部では挿入組織を強い緊締部よりも多く含むものである。
【０００６】
この衣類によれば、緊締力を強めるための糸が、帯状の緊締部において連続的に地組織に編み込まれ、主としてルーピング組織によって強い緊締部を形成し、主として挿入組織によって弱い緊締部を形成する。そのため、強い緊締部は、編地の適宜の位置に所望形状に形成され、緊締部以外の部分や弱い緊締部との緊締力の差も十分に取ることができる。
【０００７】
また、本発明の衣類は、体に密着する衣類であって、帯状の緊締部を有し、緊締部及び緊締部に隣接する少なくとも一部の生地本体部は、共通の地組織で構成され、緊締部は、帯状の長手方向において切り替わる、緊締力の相対的に強い部分である強い緊締部と緊締力の相対的に弱い部分である弱い緊締部からなり、緊締部においては、緊締力を強めるための糸が、強い緊締部と弱い緊締部に渡って連続的に地組織に編み込まれており、緊締力を強めるための糸の編組織は、強い緊締部ではルーピング組織を弱い緊締部よりも多く含み、弱い緊締部では挿入組織を強い緊締部よりも多く含むものである。
【０００８】
その場合、本発明の衣類は、緊締力を強めるための糸が、帯状の緊締部において連続的に地組織に編み込まれ、主としてルーピング組織によって強い緊締部を形成し、主として挿入組織によって弱い緊締部を形成する。そのため、強い緊締部は、編地の適宜の位置に所望形状に形成され、緊締部以外の部分や弱い緊締部との緊締力の差も十分に取ることができるとともに、地組織は緊締部と緊締部に隣接する生地本体部で共通の組織とすることができる。
【０００９】
また、本発明の衣類は、体に密着する衣類であって、帯状の緊締部を有し、生地本体部は、緊締力の異なる地組織からそれぞれ形成される複数の編地部分から構成されていて、複数の編地部分の境界線と帯状の緊締部とは交差しており、緊締部は、帯状の長手方向において切り替わる、緊締力の相対的に強い部分である強い緊締部と緊締力の相対的に弱い部分である弱い緊締部からなり、緊締部においては、緊締力を強めるための糸が、強い緊締部と弱い緊締部に渡って連続的に地組織に編み込まれており、緊締力を強めるための糸の編組織は、強い緊締部ではルーピング組織を弱い緊締部よりも多く含み、弱い緊締部では挿入組織を強い緊締部よりも多く含み、複数の編地部分のうちの緊締力の相対的に強い編地部分と強い緊締部との少なくとも一部が重なっているものである。
【００１０】
その場合、本発明の衣類は、緊締力を強めるための糸が、帯状の緊締部において連続的に地組織に編み込まれ、主としてルーピング組織によって強い緊締部を形成し、主として挿入組織によって弱い緊締部を形成する。そのため、強い緊締部は、編地の適宜の位置に所望形状に形成され、緊締部以外の部分や弱い緊締部との緊締力の差も十分に取ることができる。さらに、生地本体部についても緊締力の異なる地組織からそれぞれ形成される複数の編地部分から構成されており、強い緊締力の編地部分と強い緊締部とが重なる部分は、両者の緊締力によって強い緊締力を得ることが可能になる。
【００１１】
また、強い緊締部は、弱い緊締部の長手方向と傾斜する部分を有するものである場合は、緊締部全体が同一円周状のリングとならず、特に強い緊締部での圧迫感を緩和することができる。
【００１２】
なお、本明細書でいう体に密着する衣類とは、体の表面に直接に接して密着する場合に限らず、他の下着類を介して体に密着する場合も含むものである。
【発明の効果】
【００１３】
本発明によれば、体に密着して着用する衣類であって、着用者の体型の補整や姿勢の矯正を行ったり運動機能を向上させるための緊締部の緊締力や形状に関する設計上の自由度を改善した衣類を提供することができる。
【発明を実施するための最良の形態】
【００１４】
以下、図面に基づいて、本発明による衣類の好適な実施形態について詳細に説明する。なお、説明において、同一要素又は同一機能を有する要素には、同一符号を用いることとし、重複する説明は省略する。図１は、本発明による体に密着して着用する衣類の一例としてのガードル１を前方側から見た斜視図である。
【００１５】
ガードル１の左右の身頃２には、それぞれ、大腿部に相当する箇所に、2本の横方向に伸びる帯状の緊締部３２ａ、３２ｂが形成されている。これらの緊締部３２ａ、３２ｂのうち実線で囲みハッチングを施した部分は、次に述べる弱い緊締部３２２ａ、３２２ｂに対して相対的に緊締力の強い部分であり、強い緊締部３２１ａ、３２１ｂと称することにする。この強い緊締部３２１ａ、３２１ｂの左右に延びる実線のみでハッチングの無い部分は、強い緊締部３２１ａ、３２１ｂに対して相対的に緊締力の弱い部分であって、弱い緊締部３２２ａ、３２２ｂと称することにする。強い緊締部３２１ａと弱い緊締部３２２ａとは連続した１本の帯状をなしており、同様に、強い緊締部３２１ｂと弱い緊締部３２２ｂとは連続した１本の帯状をなしている。上方の強い緊締部３２１ａは、その中央部分が弱い緊締部３２２ａの長手方向に傾斜する部分を有するように下方に凸状（上方には凹状）とされ、下方の強い緊締部３２１ｂは、その中央部が弱い緊締部３２２ｂの長手方向に傾斜する部分を有するように上方に凸状（下方には凹状）とされている。そして、両者が合わさって横長のＸ字状をなす強い緊締部３２１ａ、３２１ｂを形成している。
【００１６】
この強い緊締部３２１ａ、３２１ｂは、着用者の大腿部の前方中央部に相当する箇所に位置している。そのため、ガードル１の着用者は、強い緊締部３２１ａ、３２１ｂの位置する大腿四頭筋を強く緊締、刺激される。またその延長部分には、相対的に弱い緊締力ではあるが生地本体部３１よりも大きな緊締力を有する弱い緊締部３２２ａ、３２２ｂが位置している。そのため、大腿部全体についても十分に緊締された状態となるとともに、特に、大腿部前方中央部の大腿四頭筋を強く緊締されて、歩行に際して、脚を大きく蹴ることができ、美しい体型を保つことができる。また、強い緊締部３２１ａ、３２１ｂは、弱い緊締部３２２ａ、３２２ｂの長手方向と傾斜する部分を有するＸ字状とされているために、同一円周方向に直線状である場合に較べ、着用者は、大腿部をリング状に圧迫されることなく、かつ中心部では２つの強い緊締部３２１ａ、３２１ｂが集中し、そこから左右上下方向に分散する緊締力を得ることができる。
【００１７】
次に、ガードル１の身頃２を構成する生地３について、図２により説明する。図２は、ガードル１の左側の身頃２を作製するための１単位の生地３を示す概念図である。生地３は、矢印Ｓで示す方向に糸が供給されて編まれた経編地であって、地組織で構成される生地本体部３１の一部に２本の帯状の緊締部３２ａ、３２ｂが形成されており、この緊締部３２ａ、３２ｂは、図１で説明したとおりの強い緊締部３２１ａ、３２１ｂと弱い緊締部３２２ａ、３２２ｂから構成されている。また、上下の縁には、糸の解れを防止するためのヘム３３が形成されている。ガードル１を製作するには、図２に示す生地から左側の身頃２を裁断し、同様に図２のものと左右対称な生地から右側の身頃２を裁断して、これらと腹部布４やクロッチとを縫製する。
【００１８】
次に、図２の生地３が８単位を一体として経編機によって得られる状態を図３に示す。それぞれの生地３は、その長辺方向に２単位、短辺方向に４単位が配置されており、各単位の生地３の長辺側の境界には、ヘム３３が形成されている。このヘム３３の幅方向の中心部の１本の糸を引き抜けば、その糸を境として両側の生地３は、分割されたヘム３３を備えて互いに分離できるような編地に編まれている。各単位の生地３の短辺側の境界３４では、編組織を後述する地組織から１×１トリコット組織に６コース分だけ変更することで、境界を識別可能に形成している。この８単位が同時に一体的に経編機により編成される。その際の編み方向は矢印Ｓである。
【００１９】
本実施形態における編地の編組織について述べる前に、先ず、編組織と組織図について、図４に基づいて説明する。図４において、黒点は各コースのニードルヘッドの位置を表しており、黒点同士の横方向の間はニードル間部を表す。横方向に並んだ黒点の列は１つのコースを表し、糸が矢印Ｓの方向に供給されるときに、各コースＣ１〜Ｃｎにおいてどのような編み方をされるかを１本の糸によって示している。
【００２０】
また、編組織は、ルーピング組織と挿入組織の２つに大きく区分される。ルーピング組織とは、糸がガイドバーに案内されてラッピングすることでループを形成する組織のことで、ループが交差して閉じた形の網目を形成する場合は閉じ目と呼ばれ、交差しない開いたループの場合は開き目と呼ばれる。図４における糸Ｙａ〜Ｙｄは、ルーピング組織の例であり、そのうち、糸Ｙａ、Ｙｄは、全てのコースにおいて閉じ目からなるルーピング組織であって、糸Ｙｂ、Ｙｃは、全てのコースにおいて開き目からなるルーピング組織である。さらに、糸の編成をニードル間部の位置によって表すために、各糸がガイドバーに案内されて通過する最も右側のニードル間部を０として順に左側に１，２，３・・・の番号を付与して糸の編成を表す（編機の種類によっては、０，２，４，６・・・とする場合もある。）。例えば、糸Ｙａの場合、Ｃ１コースでは、番号１のニードル間部から番号２のニードル間部に移動し、Ｃ２のコースでは番号１のニードル間部から番号０のニードル間部に移動し、その後はこの繰り返しであるから、「１、２／１、０／／」と表す。この糸Ｙａの編組織は、１／１トリコット組織又はデンビ組織といわれている。また、糸Ｙｃ、Ｙｄの組織は、鎖組織といわれている。
【００２１】
挿入組織とは、挿入糸が他の組織に挿入される組織であり、挿入糸自体は網目を形成せず、他の組織の例えばニードルループとシンカーループの間等に横たわったような状態となる。図４の糸Ｙｅ、Ｙｆは挿入組織の例である。糸Ｙｅは、隣接する２つのニードル間部のみを交互に移動する挿入組織で、コースＣ１ではガイドバーが番号１のニードル間部の位置でスイングインし、同じ位置でスイングアウトし、コース２では番号０の位置でスイングインとスイングアウトを行い、後はその繰り返しであるから、「１、１／０、０／／」と表す。糸Ｙｆは、さらに１つ分のニードル間部を横方向（コース方向）に振られる挿入組織であり、「２、２／０、０／／」で表される。
【００２２】
次に、本実施形態の編組織について、図５〜図７によって説明する。なお、本実施形態の編地を得るには、例えばカールマイヤー社製のＲＳＥ５ＥＬ等の編み機を使用することができる。図５は、生地３の生地本体部３１の編組織であるとともに緊締部３２ａ、３２ｂにおける編地の地組織でもある編組織を示している。糸Ｙ１は、例えば、５６ｄｔｅｘのナイロン糸であり、筬Ｌ１のガイドバーに通糸されて矢印Ｓの方向に給糸され編成される。全てのコースにおいて、閉じ目でループが形成されており、コースＣ１からＣ６の６コースが１つの繰り返し単位Ｒとなっており、「１、２／１、２／１、２／１、０／１、０／１、０／／」と書き表される。糸Ｙ２は、例えば、３１０ｄｔｅｘのポリウレタン糸であり、筬Ｌ２のガイドバーに通糸されて矢印Ｓの方向に給糸されて編成される。全てのコースで挿入組織とされており、コースＣ１からＣ６の６コースが１つの繰り返し単位Ｒとなっており、「２、２／１、１／３、３／１、１／２、２／０、０／／」と書き表される。
【００２３】
これらの糸Ｙ１と糸Ｙ２が、全てのニードルポイントの位置において、編成されて生地３のサテン地の地組織が編成されることになる。この状態を組織図として表したものが図６である。しかし、生地３の地組織は、図５，６に示すものに限定されるものではなく、１／１トリコット組織、１／２トリコット組織、１／３トリコット組織あるいはこれらを重ねた組織、鎖組織と挿入組織の組み合わせ等、適宜のものを採用することができる。また、糸の種類や太さについても適宜のものを採用できる。
【００２４】
図７は、緊締力を強めるために、地組織に編み込まれる糸の組織図である。糸Ｙ３、糸Ｙ４は、２２ｄｔｅｘのポリウレタン糸を芯としてそれに３３ｄｔｅｘのナイロン糸を絡ませたＦＴＹ２２ｔ×３３ｔ弾性糸である。このように、ポリウレタン糸にナイロン糸を絡ませた糸を使用するのは、ポリウレタン糸はナイロン糸に較べて染色が十分に行えないことに起因する生地本体部との染色の相違を少なくするためである。しかし、糸Ｙ３，糸Ｙ４は、これに限るものではなくより強い緊締力を得ようとすれば太い糸とするなど、種類や太さについても適宜のものを採用できる。
【００２５】
糸Ｙ３は、筬Ｌ３のガイドバーに通糸されて矢印Ｓの方向に給糸され編成される。糸Ｙ４は、筬Ｌ４のガイドバーに通糸されて矢印Ｓの方向に給糸され編成される。すなわち、図３において、下方から上方に向けて、弱い緊締部３２２ａ、強い緊締部３２１ａ、弱い緊締部３２２ａ、強い緊締部３２１ａ、弱い緊締部３２２ａと連続する緊締部３２ａの帯の中における全てのウェールに、図７に示す糸Ｙ４が編み込まれる。同様に、図３において、下方から上方に向けて、弱い緊締部３２２ｂ、強い緊締部３２１ｂ、弱い緊締部３２２ｂ、強い緊締部３２１ｂ、弱い緊締部３２２ｂと連続する緊締部３２ｂの帯の中における全てのウェールに、図７に示す糸Ｙ３が編み込まれる。
【００２６】
これらは、地組織を形成する糸Ｙ１，糸Ｙ２と同時に編成されるが、説明の便宜上、分けて説明する。糸Ｙ３，糸Ｙ４とも、Ａ１の範囲のコースでは、隣接する２つのニードル間部のみを交互に移動する「１、１／０、０／／」の挿入組織として、糸Ｙ１、Ｙ２によって編成される地組織に編み込まれる。この部分が、図３に示す生地３における下方の弱い緊締部３２２ａと３２２ｂに相当し、糸Ｙ３が弱い緊締部３２２ｂに、糸Ｙ４が弱い緊締部３２２ａに編み込まれている。この間は、糸Ｙ３、糸Ｙ４の組織は、隣接する２つのニードル間部のみを交互に移動する挿入組織であることから、必要な糸の量は少なく、電子制御装置によって少ない給糸量に制御される。糸Ｙ３、糸Ｙ４は、糸Ｙ１、糸Ｙ２から編成される地組織に編み込まれた状態となることから、弱い緊締部３２２ａ、３２２ｂは、地組織のみから形成される周囲の生地本体部３１よりは密な生地となっており緊締力も大きいが、後記の強い緊締部３２１ａ、３２１ｂに比べると、密な程度は低く緊締力も相対的に小さなもので、視覚的にも強い緊締部３２１ａ、３２１ｂほどには目立たないものである。
【００２７】
糸Ｙ３、糸Ｙ４は、Ａ２の範囲のコースでは、鎖組織を基本としながら互いに接近するように徐々に移行している。そして、Ａ３の範囲のコースでは、糸Ｌ３と糸Ｌ４は互いに平行で直線状の鎖組織のみで形成されている。図７では記載を省略しているが、Ａ３の範囲の次の範囲のコースでは、Ａ２と対称的に鎖組織を基本としながら互いに広がる方向に移行する組織が続くことになる。Ａ２からそこまでの範囲が、図３に示す略Ｘ字状の強い緊締部３２１ａ、３２１ｂに相当しており、糸Ｙ３が強い緊締部３２１ｂに、糸Ｙ４が強い緊締部３２１ａに編み込まれている。この間は、糸Ｙ３、糸Ｙ４は、ルーピング組織であるから、必要な糸の量は多く、電子制御装置によって大きな給糸量に制御される。そのため、強い緊締部３２１ａ、３２１ｂにおいては、周囲の生地本体部３１に対しては勿論、弱い緊締部３２２ａ、３２２ｂに対しても、生地がより密に形成されている。また、鎖組織は、他の組織に較べて、生地の経方向（編み込み方向で矢印Ｓの方向）の伸張を止める（伸度を小とする）傾向が強い。そのため、生地が密に形成されることと相俟って、強い緊締部３２１ａ、３２１ｂでは、緊締力が大きなものとなっている。
【００２８】
図７では記載を省略しているが、糸Ｙ３、Ｙ４は、強い緊締部３２１ａ，３２１ｂに編み込まれる鎖組織を基本とする組織の後には、Ａ１の範囲と同様な挿入組織として弱い緊締部３２２ａ、３２２ｂの部分に編み込まれていく。さらに、その後は、図３では上方に示される強い緊締部３２１ａ、３２１ｂの部分に編み込まれる鎖組織を基本とするＡ２から後のコースが続き、最後に短い弱い緊締部３２２ａ、３２２ｂの部分に編み込まれる挿入組織があって終了する。図７のとおり、糸Ｙ３と糸Ｙ４とは、左右にほぼ線対象となる形状をなしている。図７では、糸Ｙ３と糸Ｙ４は，各１本でかつＡ１、Ａ２，Ａ３の範囲の一部しか記載していないが、各緊締部３２ａ、３２ｂに編み込まれる全ての糸Ｙ３，糸Ｙ４を全ての範囲に渡って図７に書き込んだとすると、図３に示す緊締部３２ａ、３２ｂと同じ形状となる。
【００２９】
ここで、Ａ１等の範囲における挿入組織としては、図７に示す隣接する２つのニードル間部のみを交互に移動する「１、１／０、０／／」の挿入組織に限らず、例えば、図８に糸Ｙ５として示すような「２、２／０、０／／」の挿入組織であってもよく、糸Ｙ６や糸Ｙ７として示すような挿入組織でもよい。これらのように挿入糸の横方向（コース方向）への振り幅を大きくすると、糸の使用量も多くなり、形成される弱い緊締部３２２ａ、３２２ｂの緊締力が大きくなる。さらに、糸Ｙ８として示すように、挿入組織を主としながら適宜ルーピング組織を組み合わせてもよい。この場合、ルーピング組織の割合が多くなるほど、糸の使用量も多くなり、形成される弱い緊締部３２２ａ、３２２ｂの緊締力も強くなる。ただし、弱い緊締部３２２ａ、３２２ｂでは、同じ帯状の中に形成される強い緊締部３２１ａ、３２１ｂに含まれるルーピング組織よりはルーピング組織の割合は少なく、緊締力も相対的に弱いものとされる。
【００３０】
また、Ａ２、Ａ３等の範囲におけるルーピング組織としては、図７のように鎖組織を基本とするものでなくとも、図９に糸Ｙ９として示すように１／１トリコット組織を基本としたものや糸Ｙ１０として示すように開き目と閉じ目を交えた組織を基本とするものでもよい。鎖組織を基本としない場合、編方向での生地の伸度を小さくする作用は少なくなるが、その分緊締力を加減することができる。また、糸Ｙ１１、Ｙ１２として示すようにルーピング組織を主としつつ挿入組織を組み合わせてもよい。この場合、挿入組織の割合が多くなるほど、糸の使用量は少なくなり、緊締力は弱くなる。ただし、強い緊締部３２１ａ、３２１ｂでは、同じ帯状の中に形成される弱い緊締部３２２ａ、３２２ｂよりも含まれる挿入組織の割合は少なく、緊締力も相対的に強いものとされる。
【００３１】
なお、糸の使用量については、どのような組織であるかによってのみ給糸量が制御されるような単純な場合で説明したが、組織だけで糸の使用量を定めるとは限らず、また、糸の使用量から緊締力が決定されるものでもない。例えば、「１、１／０、０／／」のような振りの小さな挿入組織であっても、それより振りの大きな挿入組織よりも給糸量を多く調整することは可能である。しかし、給糸量が多くなったからといって、その分、緊締力が増大するものではない。
【００３２】
以上のように、弱い緊締部３２２ａ、３２２ｂにおける組織と強い緊締部３２１ａ、３２１ｂにおける組織を工夫することで、それぞれに適宜の緊締力を持たせることができる。そのため、強い緊締部３２２ａ、３２２ｂと生地本体部３１との緊締力の差や強い緊締部３２２ａ、３２２ｂと弱い緊締部３２１ａ、３２１ｂとの緊締力の差についても適宜設計可能である。また、強い緊締部３２２ａ、３２２ｂの中においても、編方向に緊締力を多段階に変化させることも、同様に弱い緊締部３２１ａ、３２１ｂの中において緊締力を多段階に変化させることも可能である。
【００３３】
本実施形態における図５、図６に示す地組織と図７に示す緊締力を強めるための糸の組織によって作製したガードル１の着用圧を測定したところ、強い緊締部３２１ａ、３２１ｂが前大腿部に密着する箇所で３６ｇｆ／ｃｍ２であり、緊締部３２ａ、３２ｂの存在しない生地本体部３１が後大腿部に密着する箇所で２４．４ｇｆ／ｃｍ２であって、好ましい着用圧及び着用圧の差を実現できた。すなわち、強い緊締部３２１ａ、３２１ｂにおける着用圧が弱いと前大腿部への有効な効果が期待できず、逆に強すぎると着用者が圧迫感を受ける。また、強い緊締部３２１ａ、３２１ｂにおける着用圧と緊締部を形成していない部分の着用圧とは、このように１０ｇｆ／ｃｍ２以上の差があることが、強い緊締部３２１ａ、３２１ｂが効力を発揮する上で望ましい。なお、着用圧の測定は、ウェスト寸法について、床高さが５５３ｍｍ、周経が６５０ｍｍ、横径が２３０ｍｍ、厚径が１６５ｍｍで、ヒップ寸法について、床高さが３８５ｍｍ、周経が８９５ｍｍ、横径が３２０ｍｍ、厚径が２１５ｍｍで、脚の付根の寸法について、床高さが２８５ｍｍ、周経が５２０ｍｍ、横径が１５０ｍｍ、厚径が１７０ｍｍ、腸棘点が位置する部位の寸法について、床高さが４３５ｍｍ、周経が８４５ｍｍ、横径が３０５ｍｍ、厚径が２０２ｍｍのダミー（ＦＲＰ製）に、ガードル１を着用させて、株式会社エイエムアイ社製の接触圧測定器（エアーパック式で、各仕様は、卓上タイプ：ＡＭＩ３０３７−２０、センサー部：直径２０ｍｍ、最大測定値：約１５０００Ｐａ、ガイドチューブ：１．５ｍ）を用いて行った。
【００３４】
以上のように本実施形態のガードル１にあっては、共通の地組織に対して、緊締力を強めるための糸Ｙ３、糸Ｙ４が、帯状の緊締部３２ａ、３２ｂにおいて連続的に地組織に編み込まれ、主としてルーピング組織によって強い緊締部３２１ａ、３２１ｂを形成し、主として挿入組織によって弱い緊締部３２２ａ、３２２ｂを形成している。そのため、強い緊締部３２１ａ、３２１ｂは、編地の適宜の位置に所望形状に形成され、緊締部以外の生地本体部３１や弱い緊締部３２２ａ、３２２ｂとの緊締力の差も十分に取ることができる。
【００３５】
また、強い緊締部３２１ａ、３２１ｂにおける緊締力を強めるための糸の組織を鎖組織を基本とするときは、生地の経方向の伸張を止める（伸度を小とする）傾向が強い。そのため、生地が密に形成されることと相俟って、強い緊締部３２１ａ、３２１ｂでは、緊締力の大きなものとすることができる。また、強い緊締部３２１ａ、３２１ｂは、弱い緊締部３２２ａ、３２２ｂの長手方向と傾斜する部分を有するＸ字状とされているために、同一円周方向に直線状である場合に較べ、着用者は、大腿部をリング状に圧迫されることなく、かつ中心部では２つの強い緊締部３２１ａ、３２１ｂが集中し、そこから左右上下方向に分散する緊締力を得ることができる。また、強い緊締部３２１ａ、３２１ｂにおける緊締力を強めるための糸Ｙ３、Ｙ４の組織を、鎖組織を基本とするものから、他の組織に変更したり挿入組織を組み合わせること等によって、緊締力を所定のものに設定することができる。同様に、弱い緊締部３２２ａ、３２２ｂにおける緊締力を強めるための糸Ｙ３，Ｙ４の組織を「１、１／０、０／／」の挿入組織からさらに横方向への振り幅を大きくしたり、ルーピング組織を組み合わせること等によって、緊締力を所定のものに設定することができる。また、緊締部３２ａ、３２ｂにおける緊締力を強めるための糸Ｙ３，Ｙ４の編組織を変化させることにより、強い緊締部３２２ａ、３２２ｂの中において編方向に緊締力を多段階に変化させることも、同様に弱い緊締部３２１ａ、３２１ｂの中において緊締力を多段階に変化させることも可能である。
【００３６】
本発明の体に密着する衣類は、上記のものに限定されるものではない。例えば、帯状の緊締部３２ａ、３２ｂについて、図１０の（Ａ）〜（Ｈ）に示すような強い緊締部３２１ａ、３２１ｂ、弱い緊締部３２２ａ、３２２ｂからなるような各種形状のものとしてもよい。（Ｆ）に示すように、強い緊締部３２１ａ、３２１ｂを弱い緊締部３２２ａ、３２２ｂとともに一直線状をなすように形成した場合、大腿部をリング状に強く緊締することができる。逆に、そのようなリング状に緊締される圧迫感を避ける場合、図１０の（Ｆ）以外に例示するように、強い緊締部３２１ａ、３２１ｂが、弱い緊締部３２２ａ、３２２ｂの長手方向と傾斜する部分を有するような適宜の形状を採用することで、その緊締力の分散の方向と位置を所望のものとできる。また、２本の帯状の緊締部３２ａ、３２ｂを組み合わせることなく、（Ｈ）に一例を示すように１本の帯状の緊締部３２ａとしてもよい。
【００３７】
また、緊締部３２ａ，３２ｂを形成する場所としては、ガードル１の前大腿部に限らない。図１１は、ガードル１の他の箇所に本発明を適用した例であり、ガードル１を前方側から見た斜視図である。腹部布４に１本の緊締部３２ａを形成している。特に、強い緊締部３２１ａを腹部の中央部に形成することにより、着用者の腹部に緊締力を加えて腹部の膨出を防止することができる。図１２は、さらに他の適用例を示すもので、ガードル１を後方側から見た斜視図である。着用者のヒップの膨らみの下辺部からその脇部分に相当する箇所に緊締部３２ａ，３２ｂの強い緊締部３２１ａ，３２１ｂを形成することにより、着用者のヒップを持ち上げて体型を補整することができるものである。図１３は、さらに他の適用例を示すものであり、ショート丈のガードル５を後方側から見た斜視図である。緊締部は１本の帯状の緊締部３２ａで形成している。強い緊締部３２１ａは着用者のヒップの膨らみの下辺部に相当する箇所に形成されており、着用者のヒップを持ち上げて体型を補整することができる。図１４は、同じくショート丈のガードル５を後方側から見た斜視図である。強い緊締部３２１ａを着用者のヒップの膨らみの下辺部に相当する箇所に形成することは同様であるが、強い緊締部３２１ａと弱い緊締部３２２ａとを交互に多段階に形成しており、ヒップの中央部下辺部分での強い緊締部３２１ａの帯方向長さを長くして緊締力の強さを帯方向に段階的に設定している。これによって、強い緊締力を必要とする箇所からそうでない方向に段階的な緊締力を付与することができる。さらに、図示していないが、ブラジャーの脇部からバック部にかけた部分や、ボディスーツの脇部や背部に強い緊締部がくるように形成することも可能である。
【００３８】
さらに、図１１〜図１４に示すものや図示しないブラジャーやボディスーツのものにおいても、緊締部の形状は限定されるものではなく、図１０に示した各種の変形例は勿論、その他の形状のものでも帯状に弱い緊締部と強い緊締部が形成されるものであればよい。
【００３９】
今まで、生地本体部３１における地組織は共通的なものである場合について説明したが、生地本体部３１を構成する地組織が、生地本体部３１の箇所によって異なるものであってもよい。図１５〜図１７によって、そのような適用例を説明する。図１５は、ガードル１を真横から見た図である。身頃２を形成する生地本体部３１は、緊締力の異なる２種類の地組織からそれぞれ形成される編地部分に区分されている。横方向を基準にした中央部の編地部分３１ａは、緊締力の相対的に強い地組織で編成されており、その両側の編地部分３１ｂは緊締力の相対的に弱い地組織で編成されている。それらの編地部分３１ａ、３１ｂの境界線３５にほぼ直角方向に、１本の帯状の緊締部３２ａのうちの弱い緊締部３２２ａが形成されている。弱い緊締部３２２ａは、緊締力の相対的に弱い編地部分３１ｂに重なるように左右２箇所に段差を有して分かれており、その中間部に強い緊締部３２１ａが、緊締力の相対的に強い編地部分３１ａに重なって形成されている。強い緊締部３２１ａは、前方側が上方になるように傾斜して形成されている。
【００４０】
ここで、弱い緊締部３２２ａと境界線３５は、ほぼ直角方向としたが、他の交差角度であってもよく、強い緊締部３２１ａと弱い緊締部３２２ａからなる帯状の緊締部３２ａが境界線３５と交差していればよい。また、緊締力の相対的に弱い編地部分３１ｂと弱い緊締部３２２ａが位置的に重なり、緊締力の相対的に強い編地部分３１ａと強い緊締部３２１ａとが位置的に重なるようにしたが、これらが位置的にずれていてもよく、緊締力の強い編地部分３１ａと強い緊締部３２１ａの少なくとも一部が重なっていればよい。そして、この重なった部分は、編地の地組織自体の緊締力が強いことと緊締部３２ａのうちの強い緊締部３２１ａが重なることによって、緊締力をさらに強められたものとなっている。
【００４１】
緊締部３２ａは、着用者の大腿上部外周に位置しており、そのうちの強い緊締部３２１ａはヒップの両脇部に位置している。そのため、着用者は、大腿上部からヒップ下部を緊締されるとともに、特に強い緊締部３２１ａによってヒップの両脇部の膨出を防止され、体型を整形される。また、ヒップの脇部は強い緊締部３２１ａの箇所に限らずその上下部分の編地３１ａは緊締力が他の編地部分３１ｂよりは強く形勢されているために、ヒップの脇部全体を締めることができる。さらに、強い緊締部３２１ａは上下方向に傾斜し、弱い緊締部３２２ａの長手方向と傾斜する部分を有することとなっているために、緊締部３２ａ全体が同一円周状のリングとならず、特に強い緊締部３２１ａでの圧迫感を緩和することができる。
【００４２】
次に、ガードル１の身頃２を構成する生地３について、図１６により説明する。図１６は、図２と同じくガードル１の左側の身頃２を作製するための１単位の生地３を示す概念図である。生地３は、矢印Ｓで示す方向に糸が供給されて編まれた経編地であって、地組織で構成される生地本体部３１の一部に１本の帯状の緊締部３２ａが形成されており、この緊締部３２ａは、図１５で説明したとおりの強い緊締部３２１ａと弱い緊締部３２２ａから構成されている。また、上下の縁には、糸の解れを防止するためのヘム３３が形成されている。図１６に示す生地から左側の身頃２を裁断し、同様に図１６のものと左右対称な生地から右側の身頃２を裁断して、これらと腹部布やクロッチとを縫製することでガードル１を作製すること、生地３が８単位を一体として経編機によって得られることは、図１〜図３の場合と同様である。
【００４３】
図１〜図３の場合と大きく相違することは、図１６において、生地３の右端から境界線３５に至るまでは、地組織が、例えば図１７の左側に示す１／２トリコット組織で編成され、その後左側の境界線３５に至るまでの範囲は、図１７の右側に示すような１／３トリコット組織によって編成されていることである。１／２トリコット組織に対し、１／３トリコット組織は、使用される糸の量も多く相対的に強い緊締力を備えることになる。なお、地組織と同時に、緊締力を強めるための糸が編み込まれて緊締部３１が形成されることは、図１〜図７の場合と同様である。
【００４４】
また、緊締力の異なる地組織としては、このような１／２トリコット組織、１／３トリコット組織に限らず、例えば編目の粗いネット組織（メッシュ組織）を緊締力の相対的に弱い編地部分３１ｂとし、それよりも編目の細かい各種サテン組織を相対的に緊締力の強い編地部分３１ａとするなど、適宜の組織を採用することができる。また、このような異なる地組織の種類として３種以上としてもよく、編地部分の区分についても４区分以上としても、２区分としてもよい。また、緊締部３２ａの編組織は図８、図９で説明したように各種のものであってよく、緊締部の形状についても図１０に例示したように各種のものを採用できる。
【００４５】
また、図１５、図１６及びその変形例として説明したものにおいては、編地の全ての境界線３５は、帯状の緊締部３２ａと交差するように形成されていることから、緊締部３２ａは隣接する生地本体部３１の各編地部分３１ａ、３１ｂと全ての隣接部分でそれぞれに共通の地組織となっている。しかし、例えば、緊締部３２ａの地組織を、強い緊締部３２１ａも弱い緊締部３２２ａも全てに渡って、強い緊締力の編地部分３１ａと同じ地組織とすることもできる。この場合、緊締部３２ａのうちで強い緊締力の編地部分３１ａと隣接する部分のみが生地本体部３１と共通の地組織となり、弱い緊締力の編地部分３１ｂとの隣接部分では地組織が異なることになる。
【図面の簡単な説明】
【００４６】
【図１】本発明の実施形態の衣類であるガードルの前方斜視図である。
【図２】本発明の実施形態における生地の１単位を示す概念図である。
【図３】本発明の実施形態における生地の編成単位を示す概念図である。
【図４】編組織と組織図の一般的説明図である。
【図５】本発明の実施形態における地組織を示す組織図である。
【図６】本発明の実施形態における地組織を示す組織図である。
【図７】本発明の実施形態における緊締力を強めるための糸の組織図である。
【図８】本発明の実施形態における緊締力を強めるための糸の挿入組織の変形例である。
【図９】本発明の実施形態における緊締力を強めるための糸のルーピング組織の変形例である。
【図１０】本発明の実施形態における緊締部の変形例を示す概念図である。
【図１１】本発明のガードルの腹部布への適用例を示す前方斜視図である。
【図１２】本発明のガードル後部への適用例を示す後方斜視図である。
【図１３】本発明のショート丈のガードルへの適用例を示す後方斜視図である。
【図１４】本発明のショート丈のガードルへの他の適用例を示す後方斜視図である。
【図１５】本発明のガードルへの他の適用例を示す真横から見た図である。
【図１６】図１５のガードルの生地を示す概念図である。
【図１７】図１６の生地の地組織を示す組織図である。
【符号の説明】
【００４７】
１・・・ガードル、２・・・身頃、３・・・生地、３１・・・生地本体部、３１ａ・・・緊締力の強い編地部分、３１ｂ・・・緊締力の弱い編地部分、３２ａ、３２ｂ・・・緊締部、３２１ａ、３２１ｂ・・・強い緊締部、３２２ａ、３２２ｂ・・・弱い緊締部、３３・・・ヘム、３４・・・境界、３５・・・編地部分の境界線、４・・・腹部布、５・・・ショート丈のガードル
【図１】
0004673182.tif 000002
【図２】
0004673182.tif 000003
【図３】
0004673182.tif 000004
【図４】
0004673182.tif 000005
【図５】
0004673182.tif 000006
【図６】
0004673182.tif 000007
【図７】
0004673182.tif 000008
【図８】
0004673182.tif 000009
【図９】
0004673182.tif 000010
【図１０】
0004673182.tif 000011
【図１１】
0004673182.tif 000012
【図１２】
0004673182.tif 000013
【図１３】
0004673182.tif 000014
【図１４】
0004673182.tif 000015
【図１５】
0004673182.tif 000016
【図１６】
0004673182.tif 000017
【図１７】
0004673182.tif 000018